(57)【要約】【課題】ラッチ機構を構成する回動部材とケージの被係合部分以外の部分との干渉を回避し、ラッチ機構の円滑な動作を実現する。【解決手段】光トランシーバは、ホストシステムのケージに挿抜される光トランシーバであって、スライダと、挿抜方向に沿ってスライダを移動可能に支持するハウジングと、回転軸を中心に挿抜方向と交差する方向に沿って回動し、ケージと係合する係合面及びスライダに係止される係止面を有し、ハウジングに支持されるラッチ部材と、を備え、スライダが挿抜方向における第１位置にあるときに係止面がスライダに係止されることによりラッチ部材の回動が規制され、スライダが挿抜方向における第１位置よりも抜出側の第２位置にあるときにラッチ部材の回動の規制が解除され、挿抜方向における回転軸の挿抜方向と交差する方向に沿った軸線の位置が、係止面がスライダに係止されているときの係合面の位置と同じか当該位置よりも抜出側である。【選択図】図１
2019144298.tif 000002
【特許請求の範囲】
【請求項１】
ホストシステムのケージに挿抜される光トランシーバであって、
スライダと、
挿抜方向に沿って前記スライダを移動可能に支持するハウジングと、
回転軸を中心に前記挿抜方向と交差する方向に沿って回動し、前記ケージと係合する係合面、及び前記スライダに係止される係止面を有し、前記ハウジングに支持されるラッチ部材と、を備え、
前記スライダが前記挿抜方向における第１位置にあるときに前記係止面が前記スライダに係止されることにより前記ラッチ部材の回動が規制され、前記スライダが前記挿抜方向における前記第１位置よりも抜出側の第２位置にあるときに前記ラッチ部材の回動の規制が解除され、
前記挿抜方向における前記回転軸の前記挿抜方向と交差する方向に沿った軸線の位置が、前記係止面が前記スライダに係止されているときの前記係合面の位置と同じか当該位置よりも抜出側である、光トランシーバ。
【請求項２】
前記ラッチ部材は、前記ハウジングと当接する当接部を更に有し、前記係合面が前記ケージと係合しているときの前記ハウジングに対する第１相対的姿勢角と、前記当接部が前記ハウジングと当接しているときの前記ハウジングに対する第２相対的姿勢角との間で回動する、請求項１に記載の光トランシーバ。
【請求項３】
前記スライダは、前記第１位置において前記当接部との干渉を回避するための凹部を挿入側の端部に有する、請求項２に記載の光トランシーバ。
【請求項４】
前記ラッチ部材の前記係止面は、前記スライダに係止されているときに前記挿抜方向に沿って延びており、
前記ハウジングは前記回転軸を有し、前記ラッチ部材は前記回転軸の延在方向に延びる溝を有し、前記回転軸は該溝内に保持され、
前記溝の開口の少なくとも一部は前記係止面に設けられ、前記溝の深さ方向は前記係止面に対して傾斜している、請求項１〜３のいずれか１項に記載の光トランシーバ。
【請求項５】
前記ハウジングは前記回転軸を有し、前記ラッチ部材は前記回転軸の延在方向に延びる孔を有し、前記回転軸は該孔と嵌合している、請求項１〜３のいずれか１項に記載の光トランシーバ。
【請求項６】
前記第１位置は、前記係止面と前記スライダの下面が当接されてなり、前記第２位置は、前記係止面と前記スライダの下面が離間されてなる、請求項１〜５のいずれか１項に記載の光トランシーバ。
【発明の詳細な説明】
【技術分野】
【０００１】
本発明は、光トランシーバに関するものである。
【背景技術】
【０００２】
特許文献１には、光トランシーバに関する技術が記載されている。図１９の（ａ）は、特許文献１に記載されたパッケージ構造を示す側面図である。この光トランシーバは、ホスト機器内のケージに対して挿抜自在に構成されるパッケージ本体と、パッケージ本体に回動自在に支持された嵌合部材１０２と、嵌合部材１０２に接して嵌合部材１０２の回動を規制する規制部材１０４とを備える。嵌合部材１０２の回転軸１０３は、パッケージ本体の或る面１０５に沿っており、且つ挿抜方向Ａ１に垂直な方向に延びている。嵌合部材１０２は、パッケージ本体の面１０５から突き出してケージ１０６の穴１０６ａに嵌り込むことにより、パッケージ本体の抜出を規制する。規制部材１０４は、機器外方向に嵌合部材１０２の回動の規制が外れる位置まで移動可能に設けられている。図１９の（ｂ）に示されるように、規制部材１０４による嵌合部材１０２の回動の規制が外れてパッケージ本体が機器外方向に移動するとき、嵌合部材１０２がケージ１０６の穴１０６ａの縁に押されて回動することにより、嵌合部材１０２と穴１０６ａとの嵌合が外れる。
【先行技術文献】
【特許文献】
【０００３】
【特許文献１】特開２００６−９１６４０号公報
【発明の概要】
【発明が解決しようとする課題】
【０００４】
ホストシステムのケージに挿入される光トランシーバにおいては、挿入後の意図しない抜出を防ぐ為にラッチ機構が設けられる。例えば、特許文献１に記載された構成では、ハウジング（パッケージ）の外方へ突出可能な部材をハウジングの側面に設け、この部材とケージの一部とを係合させることによりラッチ機構を実現する。しかしながら、例えば特許文献１に記載された構成のようにケージと係合する部材に回転軸を設け、該部材を回動させることによって該部材の一部をハウジングの外側へ突出させる場合、その構造によっては、該部材の一部とハウジングとの距離が、係合時よりも回動途中においてより長くなる（すなわち、係合時よりも回動時の方が、該部材の一部がハウジングからより大きく離れる）ことがある。この場合、該部材の一部がケージの被係合部分以外の部分と干渉してしまい、ラッチ機構の円滑な動作を妨げ、ひいては光トランシーバをケージから抜出することが困難になるおそれがある。本発明は、ラッチ機構を構成する回動部材とケージの被係合部分以外の部分との干渉を回避し、ラッチ機構の円滑な動作を実現できる光トランシーバを提供することを目的とする。
【課題を解決するための手段】
【０００５】
上述した課題を解決するために、一実施形態に係る光トランシーバは、ホストシステムのケージに挿抜される光トランシーバであって、スライダと、挿抜方向に沿ってスライダを移動可能に支持するハウジングと、回転軸を中心に挿抜方向と交差する方向に沿って回動し、ケージと係合する係合面、及びスライダに係止される係止面を有し、ハウジングに支持されるラッチ部材と、を備える。スライダが挿抜方向における第１位置にあるときに係止面がスライダに係止されることによりラッチ部材の回動が規制され、スライダが挿抜方向における第１位置よりも抜出側の第２位置にあるときにラッチ部材の回動の規制が解除される。挿抜方向における回転軸の挿抜方向と交差する方向に沿った軸線の位置は、係止面がスライダに係止されているときの係合面の位置と同じか当該位置よりも抜出側である。
【発明の効果】
【０００６】
本発明の光トランシーバによれば、ラッチ機構を構成する回動部材とケージの被係合部分以外の部分との干渉を回避し、ラッチ機構の円滑な動作を実現できる。
【図面の簡単な説明】
【０００７】
【図１】図１は、本実施形態に係る光トランシーバ挿抜機構１の構成を示す斜視図である。
【図２】図２は、光トランシーバ２を斜め上方から見た斜視図である。
【図３】図３は、スライダ２２を斜め下方から見た斜視図である。
【図４】図４は、主部２１の底面２１ｄを斜め下方から見た斜視図であって、底面２１ｄとカバー５１との間に収納される他の部品を示す。
【図５】図５は主部２１の底面２１ｄ上の構造を示す分解斜視図である。
【図６】図６は、主部２１の底面２１ｄの形状を示す斜視図である。
【図７】図７の（ａ）〜（ｃ）は、カバー５１の形状を示す図である。図７の（ａ）はカバー５１を斜め下方から見た斜視図であり、図７の（ｂ）は（ａ）のVII−VII線に沿った断面図であり、図７の（ｃ）はカバー５１の上面図である。
【図８】図８の（ａ）〜（ｃ）は、ラッチ部材２４の外観を示す図である。図８の（ａ）はラッチ部材２４を斜め上方から見た斜視図であり、図８の（ｂ）はラッチ部材２４を前方から見た正面図であり、図８の（ｃ）はラッチ部材２４を側方（横方向Ａ３）から見た側面図である。
【図９】図９は、ラッチ部材２４の動作を示す断面図である。図９の（ａ）は、回転軸５１ｄを通り軸線ＡＸに垂直な断面を示す。図９の（ｂ）は、主部２４ｂを通り軸線ＡＸに垂直な断面を示す。
【図１０】図１０は、ラッチ部材２４の動作を示す断面図である。図１０の（ａ）は、回転軸５１ｄを通り軸線ＡＸに垂直な断面を示す。図１０の（ｂ）は、主部２４ｂを通り軸線ＡＸに垂直な断面を示す。
【図１１】図１１は、ラッチ部材２４の動作を示す断面図である。図１１の（ａ）は、回転軸５１ｄを通り軸線ＡＸに垂直な断面を示す。図１１の（ｂ）は、主部２４ｂを通り軸線ＡＸに垂直な断面を示す。
【図１２】図１２は、挿抜方向Ａ１における係合面２４ｉと軸線ＡＸとの位置関係を説明するための図である。
【図１３】図１３は、平坦面２４ｃがスライダ２２に係止されているときの、挿抜方向Ａ１における軸線ＡＸ（回動中心）と係合面２４ｉとの位置関係による作用を説明するための図である。
【図１４】図１４の（ａ）及び（ｂ）は、上記実施形態の第１変形例に係るラッチ部材２４Ａ，２４Ｂの形状をそれぞれ示す側面図である。
【図１５】図１５は、上記実施形態の第２変形例に係るラッチ部材２６およびその周辺構造を示す斜視図である。
【図１６】図１６の（ａ）及び（ｂ）は、ラッチ部材２６の外観を示す斜視図である。図１６の（ａ）はラッチ部材２６を斜め後方から見た斜視図であり、図１６の（ａ）はラッチ部材２６を斜め前方から見た斜視図である。
【図１７】図１７の（ａ）及び（ｂ）は、上記実施形態の第３変形例に係るラッチ部材２４Ｃ，２４Ｄの外観を示す斜視図である。
【図１８】図１８の（ａ）は、上記実施形態の第４変形例に係るラッチ部材２４Ｅの外観を示す側面図である。図１８の（ｂ）は、本変形例に適用されるカバー５１Ｂの外観を示す斜視図である。
【図１９】図１９の（ａ）及び（ｂ）は、特許文献１に記載されたパッケージ構造を示す側面図である。
【発明を実施するための形態】
【０００８】
［本発明の実施形態の説明］
最初に、本発明の実施形態の内容を列記して説明する。一実施形態に係る光トランシーバは、ホストシステムのケージに挿抜される光トランシーバであって、スライダと、挿抜方向に沿ってスライダを移動可能に支持するハウジングと、回転軸を中心に挿抜方向と交差する方向に沿って回動し、ケージと係合する係合面、及びスライダに係止される係止面を有し、ハウジングに支持されるラッチ部材と、を備える。スライダが挿抜方向における第１位置にあるときに係止面がスライダに係止されることによりラッチ部材の回動が規制され、スライダが挿抜方向における第１位置よりも抜出側の第２位置にあるときにラッチ部材の回動の規制が解除される。挿抜方向における回転軸の挿抜方向と交差する方向に沿った軸線の位置は、係止面がスライダに係止されているときの係合面の位置と同じか当該位置よりも抜出側である。
【０００９】
この光トランシーバがホストシステムのケージに挿入されると、ラッチ部材の係合面がケージの一部と係合することによって光トランシーバがケージにラッチされる。このとき、スライダが挿抜方向における第１位置にあり、ラッチ部材の係止面がスライダに係止されているので、ラッチ部材の回動が規制されて光トランシーバがケージに安定してラッチされる。そして、この光トランシーバをケージから抜出する際には、まず、作業者の力によってスライダがハウジングに対して相対的に抜出方向に移動する。これにより、スライダは挿抜方向における第２位置に移動し、スライダによる係止面の係止状態が解除されてラッチ部材が回動可能な状態となる。引き続き、ラッチ部材の係合面がケージからの力を受けることによってラッチ部材が回動し、係合面とケージとの係合状態が解除される。
【００１０】
また、上記の光トランシーバにおいては、挿抜方向における軸線（すなわちラッチ部材の回動中心）の位置が、係止面がスライダに係止されているときの係合面の位置と同じか当該位置よりも抜出側である。従って、ラッチ部材の係合面とハウジングとの距離は、係合時において最も長くなり、回動途中においては係合時よりも必ず短くなる（すなわち、回動時よりも係合時の方が、係合面がハウジングからより大きく離れる）。故に、上記の光トランシーバによれば、ラッチ部材の係合面がケージの被係合部分以外の部分と干渉することを回避してラッチ機構を円滑に動作させることができ、光トランシーバをケージから容易に抜出することができる。
【００１１】
上記の光トランシーバにおいて、ラッチ部材は、ハウジングと当接する当接部を更に有し、係合面がケージと係合しているときのハウジングに対する第１相対的姿勢角と、当接部がハウジングと当接しているときのハウジングに対する第２相対的姿勢角との間で回動してもよい。これにより、スライダが第２位置にあるときのラッチ部材の回動範囲を制限して、スライダが第１位置に再び移動したときのスライダと係止面との接触を確実にすることができる。
【００１２】
上記の光トランシーバにおいて、スライダは、第１位置において当接部との干渉を回避するための凹部を挿入側の端部に有してもよい。これにより、ラッチ部材における当接部の配置の自由度を高めることができる。
【００１３】
上記の光トランシーバにおいて、ラッチ部材の係止面は、スライダに係止されているときに挿抜方向に沿って延びており、ハウジングは回転軸を有し、ラッチ部材は回転軸の延在方向に延びる溝を有し、回転軸は該溝内に保持され、溝の開口の少なくとも一部は係止面に設けられ、溝の深さ方向は係止面に対して傾斜してもよい。このような構造によれば、ハウジングへのラッチ部材の取り付けを容易にでき、且つ、ハウジングからのラッチ部材の意図しない脱離を抑制することができる。
【００１４】
上記の光トランシーバにおいて、ハウジングは回転軸を有し、ラッチ部材は回転軸の延在方向に延びる孔を有し、回転軸は該孔と嵌合してもよい。例えばこのような構造により、ラッチ部材の回動動作を容易に実現することができる。
【００１５】
上記の光トランシーバにおいて、第１位置は、係止面とスライダの下面が当接されてなり、第２位置は、係止面とスライダの下面が離間されてなってもよい。
【００１６】
［本発明の実施形態の詳細］
本発明の実施形態に係る光トランシーバの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１７】
図１は、本実施形態に係る光トランシーバ挿抜機構１の構成を示す斜視図である。同図に示すように、光トランシーバ挿抜機構１は、光トランシーバ２と、ホスト装置３に設けられたケージ４とを備える。ホスト装置３は、プリント配線基板３１を有しており、プリント配線基板３１の実装面３１ａ上には多数の電子部品が実装されている。ケージ４もまた実装面３１ａ上に実装されている。ケージ４は、挿抜方向Ａ１に沿って延びるケージ本体４１を有する。挿抜方向Ａ１に垂直なケージ本体４１の断面形状は、例えば長方形である。ケージ本体４１は、光トランシーバ２を収容する空間を有する。また、ケージ本体４１は、挿抜方向Ａ１における該空間の一端に、開口４２を有する。開口４２は、プリント配線基板３１の縁に位置し、プリント配線基板３１の外方を向いている。ケージ４は例えば金属製である。
【００１８】
光トランシーバ２は、ＳＦＰ規格に準拠しており、全二重双方向光通信を行う。光トランシーバ２は、挿抜方向Ａ１に沿って、開口４２を通じてケージ４のケージ本体４１に対し挿抜（挿入及び抜出）される。図２は、光トランシーバ２を斜め上方から見た斜視図である。図２に示すように、光トランシーバ２は、ハウジング２０、スライダ２２、及びプルタブ２３を備える。なお、図２には、挿抜方向Ａ１に加えて、挿抜方向Ａ１と交差（例えば直交）する方向Ａ２、並びに挿抜方向Ａ１及び方向Ａ２と交差（例えば直交）する方向Ａ３が併せて示されている。以下の説明において、方向Ａ２を上下方向、方向Ａ３を横方向と称することがある。
【００１９】
ハウジング２０は、主部２１及びカバー５１を含んで構成される。主部２１は、挿抜方向Ａ１に沿って延びる細長形状の金属部材である。挿抜方向Ａ１に垂直な主部２１の断面形状は、例えば長方形である。主部２１は、挿抜方向Ａ１に沿って延びる一対の側面２１ａ，２１ｂと、上面２１ｃと、底面２１ｄとを有する。また、主部２１は、光ファイバの先端に設けられた光コネクタと結合する一対の光レセプタクル２１１，２１２を、挿抜方向Ａ１における一端に収容している。更に、主部２１は、ケージ４の内部に設けられた電気的なコネクタと接続される電気的なコネクタを、挿抜方向Ａ１における他端に収容している。なお、以下の説明において、光トランシーバ２の電気的コネクタ側の一端に向く方向を前方と称し、光レセプタクル２１１，２１２側の一端に向く方向を後方と称することがある。カバー５１は、底面２１ｄに沿って延在する板状の部材であり、光レセプタクル２１１，２１２の直下に位置する底面２１ｄの部分（言い換えると、底面２１ｄの後端寄りの部分）を覆っている。カバー５１は、例えば亜鉛ダイカスト製である。
【００２０】
スライダ２２は、ハウジング２０に取り付けられ、ハウジング２０に対して相対的に挿抜方向Ａ１に沿って移動する部材である。スライダ２２は、主に金属製であり、ハウジング２０の後端寄りの位置に設けられている。スライダ２２は、ハウジング２０の主部２１の長方形状の断面における３辺（図２に示される側面２１ａ，２１ｂ及び底面２１ｄの各一部）を囲んでおり、板状の部材を折り曲げることにより形成されている。スライダ２２のうち底面２１ｄ上の部分は、主部２１とカバー５１との間に配置されている。
【００２１】
プルタブ２３は、スライダ２２と連結された略Ｕ字状の部材である。プルタブ２３は、ハウジング２０及びスライダ２２よりも柔らかい材料（例えば可撓性樹脂）によって構成されている。略Ｕ字状のプルタブ２３とスライダ２２とが結合されることによって、環が構成される。作業者は、この環の中に指を差し込むことによって、プルタブ２３を抜出方向（すなわち後方）に引っ張ることができる。なお、プルタブ２３は、作業者がつまむ等によって抜出方向に引っ張ることができればよく、その形状は略Ｕ字状に限られない。プルタブ２３が抜出方向に引っ張られると、プルタブ２３に加えられた力がスライダ２２に伝わり、スライダ２２がハウジング２０に対して相対的に後方に移動する。なお、プルタブ２３を引っ張る力がなくなると、後述する弾性部材の作用によって、スライダ２２は自動的に、ハウジング２０に対して相対的に前方に移動し、元の位置に戻る。
【００２２】
図３は、スライダ２２を斜め下方から見た斜視図である。スライダ２２は、一対の側板２２ａ，２２ｂと、これらの側板２２ａ，２２ｂ同士を繋ぐ底板２２ｃとを有する。側板２２ａ，２２ｂは、それぞれハウジング２０の主部２１の側面２１ａ，２１ｂ上に位置し、これらの側面２１ａ，２１ｂに沿ってそれぞれ延びている。底板２２ｃは、主部２１の底面２１ｄ上に位置し、底面２１ｄに沿って延びている。前述したように、底板２２ｃは主部２１の底面２１ｄとカバー５１との間に配置される。底板２２ｃには、一対の開口（孔）２２ｄ，２２ｅが形成されている。これらの開口２２ｄ，２２ｅは、挿抜方向Ａ１を長軸方向とする長円状に形成されている。開口２２ｄと開口２２ｅとは、横方向Ａ３に沿って並んでおり、横方向Ａ３における底板２２ｃの中心を挟んで両側に位置する。
【００２３】
また、スライダ２２は、底板２２ｃの挿入側の端縁２２ｆから前方に突き出る凸部２２ｇを更に有する。凸部２２ｇは、挿抜方向Ａ１と方向Ａ３とによって規定される架空平面に沿って延びる平板状の部分である。凸部２２ｇの挿入側の端部２２ｈには、後方に向けて穿設された凹部２２ｉが形成されている。凸部２２ｇの厚さ方向すなわち上下方向Ａ２から見た凹部２２ｉの平面形状は、例えばＵ字状である。更に、スライダ２２は、底板２２ｃの厚さ方向の外方に向けて突出する一対の突起２２ｊ，２２ｋを更に有する。突起２２ｊ，２２ｋは、底板２２ｃの端部２２ｈ付近の一部分が折り曲げられることにより形成されている。
【００２４】
図４は、主部２１の底面２１ｄを斜め下方から見た斜視図であって、底面２１ｄとカバー５１との間に収納される他の部品を示す。また、図５は主部２１の底面２１ｄ上の構造を示す分解斜視図である。図４及び図５に示されるように、カバー５１は、ネジ５２，５３により主部２１の底面２１ｄに固定されている。具体的には、主部２１の底面２１ｄには円筒状の突起２１ｅ，２１ｆが設けられており、ネジ５２，５３それぞれは、突起２１ｅ，２１ｆそれぞれの内側面に螺合する。また、カバー５１は、突起２１ｅ，２１ｆが開口２２ｄ，２２ｅ内に挿入された状態で主部２１に取り付けられている。前述したように、開口２２ｄ，２２ｅは挿抜方向Ａ１を長軸方向とする長円状を呈しているので、スライダ２２は、開口２２ｄ，２２ｅにガイドされて、カバー５１に対して相対的に挿抜方向Ａ１に移動する。また、開口２２ｄ，２２ｅは、スライダ２２の移動範囲を制限する機能も有する。
【００２５】
図６は、主部２１の底面２１ｄの形状を示す斜視図である。底面２１ｄには、前述した突起２１ｅ，２１ｆが後端部付近に設けられているほか、凹部２１ｇが形成されている。凹部２１ｇは、突起２１ｅ，２１ｆに対して挿抜方向Ａ１の前方に形成され、略四角形状といった平面形状を有する。凹部２１ｇの底面は平坦である。凹部２１ｇ内には、曲面２１ｈが形成されている。曲面２１ｈは、円筒内面の一部分といった形状を呈しており、挿抜方向Ａ１及び上下方向Ａ２によって規定される断面において、主部２１側に凹む円弧状に湾曲している。曲面２１ｈは、挿抜方向Ａ１の後方ないし斜め後方を向くように、凹部２１ｇの前縁付近に設けられている。
【００２６】
図７の（ａ）〜（ｃ）は、カバー５１の形状を示す図である。図７の（ａ）はカバー５１を斜め下方から見た斜視図であり、図７の（ｂ）は（ａ）のVII−VII線に沿った断面図であり、図７の（ｃ）はカバー５１の上面図である。これらの図に示されるように、カバー５１は、略四角形状といった平面形状を有する板状の主部５１ｆと、主部５１ｆに形成された一対の孔５１ａ，５１ｂと、略四角形状といった平面形状を有する板状の突出部５１ｃと、一対の回転軸５１ｄ，５１ｅとを有する。主部５１ｆの上面（主部２１と対向する面）は凹んでおり、後述する弾性部材２５（図４及び図５を参照）を収容可能としている。一対の孔５１ａ，５１ｂそれぞれは、図４及び図５に示されたネジ５２，５３それぞれを挿通させる孔であって、底面２１ｄの突起２１ｅ，２１ｆそれぞれと対向する位置に設けられている。突出部５１ｃは、主部５１ｆの前縁から前方に突出するとともに、カバー５１の厚さ方向（上下方向Ａ２）において主部２１側に突出している。突出部５１ｃは、前述した底面２１ｄの凹部２１ｇと嵌合し、凹部２１ｇによって横方向Ａ３の移動を規制され、挿抜方向Ａ１にガイドされる。突出部５１ｃの上面（主部２１と対向する面）は凹んでおり、後述するラッチ部材２４（図４及び図５を参照）を収容可能としている。回転軸５１ｄ，５１ｅは、突出部５１ｃの略中央付近に形成された円柱状の突起（凸部）である。回転軸５１ｄ，５１ｅは、突出部５１ｃに形成された開口の内側面から、横方向Ａ３に沿って互いに対向する向きに突出している。回転軸５１ｄ，５１ｅの円柱の中心軸線は、横方向Ａ３に沿って延びており互いに一致している。このような形状の回転軸５１ｄ，５１ｅは、モールド成型により容易に形成可能である。
【００２７】
再び図４及び図５を参照する。本実施形態の光トランシーバ２は、ラッチ部材２４及び弾性部材２５を更に備える。弾性部材２５は、主部２１の底面２１ｄ上に設けられ、底面２１ｄとカバー５１との間に配置されている。弾性部材２５は、底面２１ｄから突出する突起２１ｅ，２１ｆに巻き付けられて移動を規制されている。弾性部材２５は、スライダ２２に設けられた突起２２ｊ，２２ｋを前方に付勢している。本実施形態の弾性部材２５は、所謂ねじりばね（トーションばね）といった形状を有する。
【００２８】
ラッチ部材２４は、本実施形態におけるラッチ機構であり、主部２１の底面２１ｄ上に設けられ、底面２１ｄとカバー５１との間に配置されている。ラッチ部材２４は、横方向Ａ３に沿って延在する回転軸５１ｄ，５１ｅを中心に挿抜方向Ａ１と交差する方向に沿って回動可能な状態で、カバー５１に支持される。図８の（ａ）〜（ｃ）は、ラッチ部材２４の外観を示す図である。図８の（ａ）はラッチ部材２４を斜め上方から見た斜視図であり、図８の（ｂ）はラッチ部材２４を前方から見た正面図であり、図８の（ｃ）はラッチ部材２４を側方（横方向Ａ３）から見た側面図である。これらの図に示されるように、ラッチ部材２４は、細長い棒状の軸部２４ａと、半円柱状の主部２４ｂとを有する。
【００２９】
軸部２４ａは、横方向Ａ３を長手方向とし、横方向Ａ３に沿った軸線ＡＸに沿って延びている。軸部２４ａは、横方向Ａ３に沿って延びる丸棒の側面が、互いに対向する一対の平坦面２４ｃ，２４ｄによって切り欠かれた形状を有する。一対の平坦面２４ｃ，２４ｄは互いに平行であり、横方向Ａ３に沿って延びている。更に、軸部２４ａは、横方向Ａ３における両端部に溝２４ｅ，２４ｆを有する。溝２４ｅは、横方向Ａ３における軸部２４ａの一端面２４ｇまで延在しており、一端面２４ｇに開口を有する。同様に、溝２４ｆは、横方向Ａ３における軸部２４ａの他端面２４ｈまで延在しており、他端面２４ｈに開口を有する。溝２４ｅ，２４ｆそれぞれは、カバー５１の回転軸５１ｄ，５１ｅの延在方向に延びており、回転軸５１ｄ，５１ｅそれぞれと嵌合し、回転軸５１ｄ，５１ｅそれぞれを摺動可能に保持する。また、図８の（ｃ）に示されるように、溝２４ｅ，２４ｆの深さ方向Ａ４は、平坦面２４ｃ，２４ｄに対して傾斜している。すなわち、深さ方向Ａ４と平坦面２４ｃ，２４ｄとの成す角（言い換えると、挿抜方向Ａ１と深さ方向Ａ４との成す角）θは、０°以上９０°以下である。成す角θは、好ましくは３０°以上６０°以下である。これは、例えば成す角θが０°もしくは９０°に近い場合には、平坦面２４ｃ，２４ｄと溝２４ｅ，２４ｆとの壁厚が薄くなるが、例えば成す角θが３０°以上６０°以下である場合には、成す角θが０°もしくは９０°に近い場合よりも、平坦面２４ｃ，２４ｄと溝２４ｅ，２４ｆとの壁厚を厚くでき、強度が向上するからである。一実施例では、成す角θは４５°である。そして、溝２４ｅ，２４ｆの開口の少なくとも一部は、平坦面２４ｃに設けられている。本実施形態では、溝２４ｅ，２４ｆの開口の一部が平坦面２４ｃに設けられ、残部が平坦面２４ｃと平坦面２４ｄとの間の円柱面に設けられている。挿抜方向Ａ１及び上下方向Ａ２に沿った断面における溝２４ｅ，２４ｆの底面形状は半円状である。該半円の中心は軸線ＡＸであり、ラッチ部材２４の回転軸（回動中心）となる。
【００３０】
主部２４ｂは、横方向Ａ３に沿った軸線ＡＸを中心軸線とする円柱が半分に分割された形状（Ｄカットカム形状）を有する。主部２４ｂは、軸線ＡＸ周りの第１周方向位置に設けられた係合面２４ｉと、軸線ＡＸ周りの第２周方向位置に設けられた当接部２４ｊと、半円柱面２４ｋとを有する。一例では、係合面２４ｉ及び当接部２４ｊは互いに面一の平坦面であり、軸線ＡＸに対して互いに１８０°異なる周方向位置に設けられている。係合面２４ｉは、図１に示されたケージ本体４１に光トランシーバ２が挿入された際にケージ本体４１の一部と係合（ラッチ）することにより、光トランシーバ２の意図しない抜出を防ぐ。ケージ本体４１から光トランシーバ２を抜出する際には、ラッチ部材２４が軸線ＡＸまわりに回動することによってこの係合状態が解除される。当接部２４ｊは、ラッチ部材２４が軸線ＡＸまわりに回動した際に、ハウジング２０の一部と当接することによってラッチ部材２４の回動範囲を規制する。当接部２４ｊは、例えばカバー５１の一部に当接する。
【００３１】
図９〜図１１は、ラッチ部材２４の動作を示す断面図である。図９〜図１１の（ａ）は、回転軸５１ｄを通り軸線ＡＸに垂直な断面を示す。図９〜図１１の（ｂ）は、主部２４ｂを通り軸線ＡＸに垂直な断面を示す。図９の（ｂ）に示されるように、ラッチ部材２４は、底面２１ｄに形成された凹部２１ｇに収容され、主部２４ｂの半円柱面２４ｋが凹部２１ｇの曲面２１ｈに摺動可能に当接する。これにより、ラッチ部材２４の回動動作が曲面２１ｈによってガイドされるとともに、上下方向Ａ２及び前方へのラッチ部材２４の軸ズレを防止することができる。
【００３２】
図９の（ａ）に示されるように、通常状態においては、ラッチ部材２４の平坦面２４ｃが挿抜方向Ａ１に沿って延びており、ラッチ部材２４と底面２１ｄとの間に挿入されたスライダ２２の凸部２２ｇの板面が、ラッチ部材２４の平坦面２４ｃに接することによりラッチ部材２４を係止する。すなわち、平坦面２４ｃは本実施形態における係止面である。これにより、ラッチ部材２４の回動が規制される。このときの挿抜方向Ａ１におけるスライダ２２の位置を第１位置と称する。すなわち、第１位置とは、係止面である平坦面２４ｃとスライダ２２の下面とが互いに当接されてなる状態をいう。また、このときのハウジング２０に対するラッチ部材２４の軸線ＡＸまわりの相対的な角度を第１相対的姿勢角と称する。この状態において、ラッチ部材２４の係合面２４ｉはハウジング２０の外側へ突出している。ケージ本体４１に光トランシーバ２が挿入される際、ケージ本体４１に設けられたラッチ機構の一部である板状の被係合部４３が撓んでラッチ部材２４を避ける。そして、図９の（ａ）及び（ｂ）に示されるように、被係合部４３に形成された孔４３ａに係合面２４ｉが達すると、被係合部４３の撓みが解消して孔４３ａと係合面２４ｉとが互いに係合（ラッチ）する。また、このとき、図９の（ｂ）に示されるように、スライダ２２が凹部２２ｉ（図３を参照）を有することによって、スライダ２２と当接部２４ｊとの干渉が回避される。
【００３３】
ケージ本体４１から光トランシーバ２が抜出される際には、まず、図２に示されたプルタブ２３が作業者によって抜出方向（すなわち挿抜方向Ａ１における後方）に引かれる。このプルタブ２３に連動して、図１０の（ａ）及び（ｂ）に示されるように、スライダ２２も抜出方向に移動する。このときの挿抜方向Ａ１におけるスライダ２２の位置を第２位置と称する。すなわち、第２位置とは、係止面である平坦面２４ｃとスライダ２２の下面とが互いに離間されてなる状態をいう。第２位置は、第１位置よりも抜出側（後方）にある。これにより、凸部２２ｇの板面による平坦面２４ｃの係止状態が解除され、ラッチ部材２４が軸線ＡＸまわりに回動可能となる。なお、このとき凸部２２ｇの縁部が平坦面２４ｃの一部に接していてもよく、その接触部分が挿抜方向Ａ１において軸線ＡＸよりも後方であれば、以降のラッチ部材２４の回動を妨げず、また逆方向の回動を防ぐことができる。
【００３４】
引き続きプルタブ２３が抜出方向に引かれると、ハウジング２０がケージ本体４１に対して相対的に後方に移動する。これにより、軸線ＡＸが被係合部４３に対して相対的に後方に移動するので、係合面２４ｉが孔４３ａの内側面に押されてラッチ部材２４が回動する（図１１の（ａ）及び（ｂ））。これにより、係合面２４ｉと孔４３ａとの係合（ラッチ）状態が解除されて、光トランシーバ２がケージ本体４１から抜出可能となる。当接部２４ｊがカバー５１の突出部５１ｃの前端と当接することにより、ラッチ部材２４の回動は止まる。このときのハウジング２０に対するラッチ部材２４の軸線ＡＸまわりの相対的な角度を第２相対的姿勢角と称する。すなわち、本実施形態のラッチ部材２４は、前述した第１相対的姿勢角と第２相対的姿勢角との間で回動可能となっている。なお、図４及び図５示された弾性部材２５がスライダ２２を前方へ付勢しているので、プルタブ２３を引く力がなくなると、スライダ２２は自動的に前方に移動して元の位置（第１位置）に戻る。このとき、スライダ２２の凸部２２ｇの前端が平坦面２４ｃを押し込むので、ラッチ部材２４が回動して再び第１相対的姿勢角に戻ったのち、凸部２２ｇが平坦面２４ｃを再び係止する。
【００３５】
図１２は、挿抜方向Ａ１における係合面２４ｉと軸線ＡＸとの位置関係を説明するための図である。平坦面２４ｃがスライダ２２に係止されているときの挿抜方向Ａ１における軸線ＡＸの位置は、図９の（ａ）に示されるように同方向における係合面２４ｉの位置と同じであってもよく、或いは、図９の（ｂ）に示されるように同方向における係合面２４ｉの位置よりも抜出側（すなわち後方）であってもよい。
【００３６】
図１３は、平坦面２４ｃがスライダ２２に係止されているときの、挿抜方向Ａ１における軸線ＡＸ（回動中心）と係合面２４ｉとの位置関係による作用を説明するための図である。同図において、軸線ＡＸ１は挿抜方向Ａ１において係合面２４ｉよりも抜出側（後方）に位置し、軸線ＡＸ２は挿抜方向Ａ１において係合面２４ｉと同じ位置にあり、軸線ＡＸ３は挿抜方向Ａ１において係合面２４ｉよりも挿入側（前方）に位置する。なお、軸線ＡＸ１，ＡＸ２は本実施形態の軸線ＡＸであり、軸線ＡＸ３は前述した特許文献１に係る光トランシーバ（図１９を参照）の回転軸１０３の中心軸線である。また、図中の円弧状の矢印Ｄ１，Ｄ２及びＤ３は、係合面２４ｉの最外縁の軌跡である。矢印Ｄ１は軸線ＡＸ１に対応し、矢印Ｄ２は軸線ＡＸ２に対応し、矢印Ｄ３は軸線ＡＸ３に対応している。
【００３７】
軸線ＡＸ３のように、軸線ＡＸが挿抜方向Ａ１において係合面２４ｉよりも挿入側（前方）に位置する場合、軌跡Ｄ３が外側に膨らみ、係合面２４ｉの最外縁とハウジング２０との距離が係合時よりも回動途中においてより長くなる（すなわち、係合時よりも回動時の方が、係合面２４ｉの最外縁がハウジング２０からより大きく離れる）。この場合、係合面２４ｉがケージ本体４１の被係合部４３以外の部分と干渉してしまい、ラッチ機構の円滑な動作を妨げ、ひいては光トランシーバ２をケージ４から抜出することが困難になる虞がある。
【００３８】
これに対し、本実施形態の光トランシーバ２においては、軸線ＡＸ１若しくはＡＸ２のように、挿抜方向Ａ１における軸線ＡＸの位置が、係合面２４ｉの位置と同じか当該位置よりも抜出側である。従って、係合面２４ｉの最外縁とハウジング２０との距離は、係合時において最も長くなり、回動途中においては係合時よりも必ず短くなる（すなわち、回動時よりも係合時の方が、係合面２４ｉの最外縁がハウジング２０からより大きく離れる）。故に、本実施形態の光トランシーバ２によれば、ラッチ部材２４の係合面２４ｉがケージ本体４１の被係合部４３以外の部分と干渉することを回避してラッチ機構を円滑に動作させることができ、光トランシーバ２をケージ本体４１から容易に抜出することができる。
【００３９】
なお、軸線ＡＸ１のように、挿抜方向Ａ１における軸線ＡＸの位置が係合面２４ｉの位置よりも抜出側である場合、ハウジング２０側への軌跡が軸線ＡＸ２よりも大きくなり、ハウジング２０側により大きなスペースが必要となる。従って、挿抜方向Ａ１における軸線ＡＸの位置は、係合面２４ｉの位置と同じであることがより好ましい。
【００４０】
また、本実施形態のように、ラッチ部材２４は、軸線ＡＸ周りの第２周方向位置に設けられてハウジング２０と当接する当接部２４ｊを更に有し、係合面２４ｉがケージ４の被係合部４３と係合しているときのハウジング２０に対する第１相対的姿勢角と、当接部２４ｊがハウジング２０と当接しているときのハウジング２０に対する第２相対的姿勢角との間で回動してもよい。これにより、スライダ２２が第２位置（図１０及び図１１を参照）にあるときのラッチ部材２４の回動範囲を制限して、スライダ２２が第１位置（図９を参照）に再び移動したときのスライダ２２と平坦面２４ｃとの接触を確実にすることができる。
【００４１】
また、本実施形態のように、スライダ２２は、第１位置（図９を参照）において当接部２４ｊとの干渉を回避するための凹部２２ｉを挿入側の端部に有してもよい。これにより、ラッチ部材２４における当接部２４ｊの配置の自由度を高め、例えば軸線ＡＸに対して係合面２４ｉとは反対側の周方向位置に当接部２４ｊを配置することが可能になる。
【００４２】
また、本実施形態のように、ラッチ部材２４の平坦面２４ｃは、スライダ２２に係止されているときに挿抜方向Ａ１に沿って延びており、ハウジング２０は回転軸５１ｄ，５１ｅを有し、ラッチ部材２４は回転軸５１ｄ，５１ｅの延在方向に延びる溝２４ｅ，２４ｆを有し、回転軸５１ｄ，５１ｅは該溝２４ｅ，２４ｆ内に保持され、溝２４ｅ，２４ｆの開口の少なくとも一部は平坦面２４ｃに設けられ、溝２４ｅ，２４ｆの深さ方向Ａ４は平坦面２４ｃに対して傾斜してもよい。このような構造によれば、ハウジング２０へのラッチ部材２４の取り付けを容易にでき、且つ、ハウジング２０からのラッチ部材２４の意図しない脱離を抑制することができる。
【００４３】
また、本実施形態のように、ラッチ部材２４の溝２４ｅ，２４ｆの深さ方向Ａ４は、平坦面２４ｃに対して傾斜してもよい。これにより、溝２４ｅ，２４ｆと平坦面２４ｃとを隔てる部分を肉厚にすることができ、ラッチ部材２４の機械的強度を高めることができる。
【００４４】
（第１変形例）
図１４の（ａ）及び（ｂ）は、上記実施形態の第１変形例に係るラッチ部材２４Ａ，２４Ｂの形状をそれぞれ示す側面図である。これらのラッチ部材２４Ａ，２４Ｂと上記実施形態のラッチ部材２４との相違点は、回転軸５１ｄ，５１ｅを保持する溝２４ｅ，２４ｆの深さ方向である。図１４の（ａ）に示されるラッチ部材２４Ａでは、溝２４ｅ，２４ｆの深さ方向Ａ５が、平坦面２４ｃに対して垂直であり、係合面２４ｉの面に対して平行である。言い換えると、ラッチ部材２４Ａが第１相対的姿勢角（図９及び図１０を参照）であるときに、深さ方向Ａ５は挿抜方向Ａ１に対して直交している。また、図１４の（ｂ）に示されるラッチ部材２４Ｂでは、溝２４ｅ，２４ｆの深さ方向Ａ６が、平坦面２４ｃに対して平行であり、係合面２４ｉの面に対して垂直である。言い換えると、ラッチ部材２４Ｂが第１相対的姿勢角（図９及び図１０を参照）であるときに、深さ方向Ａ６は挿抜方向Ａ１に対して平行である。溝２４ｅ，２４ｆの深さ方向は上記実施形態の方向Ａ４に限られるものではなく、例えば本変形例の方向Ａ５若しくは方向Ａ６であってもよい。
【００４５】
（第２変形例）
図１５は、上記実施形態の第２変形例に係るラッチ部材２６およびその周辺構造を示す斜視図である。また、図１６の（ａ）及び（ｂ）は、ラッチ部材２６の外観を示す斜視図である。図１６の（ａ）はラッチ部材２６を斜め後方から見た斜視図であり、図１６の（ａ）はラッチ部材２６を斜め前方から見た斜視図である。図１６に示されるように、本変形例のラッチ部材２６は、細長い棒状の軸部２６ａと、主部２６ｂとを有する。軸部２６ａは、横方向Ａ３を長手方向とし、横方向Ａ３に沿った軸線ＡＸに沿って延びている。軸部２６ａは、横方向Ａ３に沿って延びる丸棒の側面が、互いに交差する一対の平坦面２６ｃ，２６ｄによって切り欠かれた形状を有する。一対の平坦面２６ｃ，２６ｄは互いに垂直であり、横方向Ａ３に沿って延びている。更に、軸部２６ａは、横方向Ａ３における両端部から突出する円柱状の回転軸２６ｅ，２６ｆを有する。回転軸２６ｅ，２６ｆの中心軸線は横方向Ａ３に沿って延びており、軸線ＡＸと一致している。また、図１５に示されるように、カバー５１Ａの突出部５１ｃには、回転軸５１ｄ，５１ｅ（図７参照）に代えて、溝５１ｇ，５１ｈが設けられている。溝５１ｇ，５１ｈそれぞれは、回転軸２６ｅ，２６ｆの延在方向に延びており、回転軸２６ｅ，２６ｆそれぞれを保持して、回転軸２６ｅ，２６ｆそれぞれと嵌合する。これにより、ラッチ部材２６は軸線ＡＸを回動中心として回動可能に支持される。なお、カバー５１Ａの形状は、回転軸５１ｄ，５１ｅ（図７参照）に代えて溝５１ｇ，５１ｈを有する他は、上記実施形態のカバー５１と同様である。
【００４６】
主部２６ｂは、軸線ＡＸと交差する方向に延びる部分であって、横方向Ａ３における軸部２６ａの中央部分に設けられている。主部２６ｂは、軸線ＡＸ周りの第１周方向位置に設けられた係合面２６ｉを有する。一例では、係合面２６ｉは横方向Ａ３に沿った平坦面である。係合面２６ｉは、図１に示されたケージ本体４１に光トランシーバ２が挿入された際に、被係合部４３の孔４３ａ（図９〜図１１を参照）と係合する。また、ケージ本体４１から光トランシーバ２を抜出する際には、ラッチ部材２６が軸線ＡＸまわりに回動することによってこの係合状態が解除される。
【００４７】
平坦面２６ｃは、本変形例における係止面である。平坦面２６ｃは、係合面２６ｉが被係合部４３の孔４３ａと係合している状態において、図１５に示されるようにスライダ２２の凸部２２ｇと接触し、凸部２２ｇによって係止される。これにより、ラッチ部材２６の回動が規制される。ケージ本体４１から光トランシーバ２が抜出される際には、スライダ２２がラッチ部材２６に対して相対的に後方に移動し、凸部２２ｇが平坦面２６ｃから離れて係止状態が解除される。
【００４８】
ラッチ部材の形状は上記実施形態のラッチ部材２４のような形状に限られず、例えば本変形例のラッチ部材２６のような形状であってもよい。その場合であっても、挿抜方向Ａ１における軸線ＡＸの位置が同方向における係合面２６ｉの位置と同じかそれよりも後方に位置していれば、上記実施形態と同様の効果を奏することができる。
【００４９】
（第３変形例）
図１７の（ａ）及び（ｂ）は、上記実施形態の第３変形例に係るラッチ部材２４Ｃ，２４Ｄの外観を示す斜視図である。これらの図は、それぞれラッチ部材２４Ｃ，２４Ｄを斜め前方から見た様子を示している。ラッチ部材２４Ｃ，２４Ｄは、主部２４ｂと、軸部２４ｐとを有する。主部２４ｂは、上記実施形態と同様に半円柱状を呈しており、係合面２４ｉ、当接部２４ｊ、及び半円柱面２４ｋを有する。軸部２４ｐは、上記実施形態の軸部２４ａに代えて設けられ、横方向Ａ３を長手方向とし、横方向Ａ３に沿った軸線ＡＸに沿って延びている。ラッチ部材２４Ｃにおいては、軸部２４ｐは横方向Ａ３における主部２４ｂの両側に設けられ、ラッチ部材２４Ｄにおいては、軸部２４ｐは横方向Ａ３における主部２４ｂの片側のみに設けられている。軸部２４ｐは、横方向Ａ３に沿って延びる円筒の側面が、互いに対向する一対の平坦面２４ｃ，２４ｄによって切り欠かれた形状を有する。一対の平坦面２４ｃ，２４ｄは互いに平行であり、横方向Ａ３に沿って延びている。円筒状の軸部２４ｐの内側には、横方向Ａ３に沿って延びる孔２４ｔが設けられている。孔２４ｔは、軸部２４ｐ及び主部２４ｂを貫通する。この孔２４ｔには、横方向Ａ３に沿った軸線ＡＸを中心線とする丸棒状の回転軸（不図示）が挿入・嵌合される。孔２４ｔは、この回転軸を摺動可能に保持する。なお、本変形例ではカバー５１の回転軸がラッチ部材２４Ｃ，２４Ｄを横方向Ａ３に貫通する。組み立て容易性のため、カバー５１の回転軸は片持ち状に突出部５１ｃに支持される。ラッチ部材２４Ｄの形状であれば、ラッチ部材２４Ｃの形状と比較してカバー５１の回転軸を短くすることができ、回転軸の機械的強度を高めることができる。なお、係合面２４ｉ、当接部２４ｊ、及び平坦面２４ｃの機能は上記実施形態と同様である。
【００５０】
ラッチ部材の形状は上記実施形態のラッチ部材２４のような形状に限られず、例えば本変形例のラッチ部材２４Ｃ若しくは２４Ｄのような形状であってもよい。その場合であっても、挿抜方向Ａ１における軸線ＡＸの位置が同方向における係合面２６ｉの位置と同じかそれよりも後方に位置していれば、上記実施形態と同様の効果を奏することができる。
【００５１】
（第４変形例）
図１８の（ａ）は、上記実施形態の第４変形例に係るラッチ部材２４Ｅの外観を示す側面図である。本変形例のラッチ部材２４Ｅは、主部２４ｂと、軸部２４ｓとを有する。主部２４ｂは、上記実施形態と同様に半円柱状を呈しており、係合面２４ｉ、当接部２４ｊ、及び半円柱面２４ｋを有する。軸部２４ｓは、上記実施形態の軸部２４ａに代えて設けられ、横方向Ａ３を長手方向とし、横方向Ａ３に沿った軸線ＡＸに沿って延びている。軸部２４ｓは、横方向Ａ３に沿って延びており、互いに対向する一対の平坦面２４ｃ，２４ｄを有する。一対の平坦面２４ｃ，２４ｄは互いに平行であり、横方向Ａ３に沿って延びている。係合面２４ｉ、当接部２４ｊ、及び平坦面２４ｃの機能は上記実施形態と同様である。また、ラッチ部材２４Ｅは、軸部２４ｓから主部２４ｂにわたる後端面に形成された溝２４ｒを更に有する。溝２４ｒは、横方向Ａ３に沿って延びており、その延在方向に垂直な断面の形状は半円形である。該半円形の中心は軸線ＡＸと一致する。
【００５２】
図１８の（ｂ）は、本変形例に適用されるカバー５１Ｂの外観を示す斜視図である。カバー５１Ｂは、上記実施形態の回転軸５１ｄ，５１ｅ（図７を参照）に代えて、半円柱部５１ｉを有する。半円柱部５１ｉは、横方向Ａ３に沿って延びており、その中心軸線は軸線ＡＸと一致する。半円柱部５１ｉは、ラッチ部材２４Ｅの溝２４ｒと摺動可能に嵌合する。回転軸は全周が曲面である必要は無く、本変形例のように最低限の曲面のみをカバー５１Ｂに形成してもよい。その場合であっても、挿抜方向Ａ１における軸線ＡＸの位置が同方向における係合面２６ｉの位置と同じかそれよりも後方に位置していれば、上記実施形態と同様の効果を奏することができる。
【００５３】
本発明による光トランシーバは、上述した実施形態に限られるものではなく、他に様々な変形が可能である。例えば、上記実施形態では軸線ＡＸに関して係合面２４ｉとは反対側に当接部２４ｊが設けられているが、当接部２４ｊはラッチ部材２４が回動した際にハウジング２０のいずれか一部に当接すればよく、軸線ＡＸの周方向における当接部２４ｊの位置は任意である。また、上記実施形態では係合面２４ｉの形状は平坦面とされているが、係合面２４ｉの形状はこれに限らず様々な形状を適用することができる。
【符号の説明】
【００５４】
１…光トランシーバ挿抜機構、２…光トランシーバ、３…ホスト装置、４…ケージ、２０…ハウジング、２１…主部、２１ａ，２１ｂ…側面、２１ｃ…上面、２１ｄ…底面、２１ｅ，２１ｆ…突起、２１ｇ…凹部、２１ｈ…曲面、２２…スライダ、２２ａ，２２ｂ…側板、２２ｃ…底板、２２ｄ，２２ｅ…開口、２２ｆ…端縁、２２ｇ…凸部、２２ｈ…端部、２２ｉ…凹部、２２ｊ，２２ｋ…突起、２３…プルタブ、２４，２４Ａ，２４Ｂ，２４Ｃ，２４Ｄ，２４Ｅ…ラッチ部材、２４ａ…軸部、２４ｂ…主部、２４ｃ，２４ｄ…平坦面、２４ｅ，２４ｆ…溝、２４ｇ…一端面、２４ｈ…他端面、２４ｉ…係合面、２４ｊ…当接部、２４ｋ…半円柱面、２４ｐ…軸部、２４ｒ…溝、２４ｓ…軸部、２４ｔ…孔、２５…弾性部材、２６…ラッチ部材、２６ａ…軸部、２６ｂ…主部、２６ｃ，２６ｄ…平坦面、２６ｅ，２６ｆ…回転軸、２６ｉ…係合面、３１…プリント配線基板、３１ａ…実装面、４１…ケージ本体、４２…開口、４３…被係合部、４３ａ…孔、５１，５１Ａ，５１Ｂ…カバー、５１ａ，５１ｂ…孔、５１ｃ…突出部、５１ｄ，５１ｅ…回転軸、５１ｆ…主部、５１ｇ，５１ｈ…溝、５１ｉ…半円柱部、５２，５３…ネジ、２１１，２１２…光レセプタクル、Ａ１…挿抜方向、Ａ２…上下方向、Ａ３…横方向、Ａ４，Ａ５，Ａ６…深さ方向、ＡＸ，ＡＸ１，ＡＸ２，ＡＸ３…軸線。
【図１】
2019144298.tif 000003
【図２】
2019144298.tif 000004
【図３】
2019144298.tif 000005
【図４】
2019144298.tif 000006
【図５】
2019144298.tif 000007
【図６】
2019144298.tif 000008
【図７】
2019144298.tif 000009
【図８】
2019144298.tif 000010
【図９】
2019144298.tif 000011
【図１０】
2019144298.tif 000012
【図１１】
2019144298.tif 000013
【図１２】
2019144298.tif 000014
【図１３】
2019144298.tif 000015
【図１４】
2019144298.tif 000016
【図１５】
2019144298.tif 000017
【図１６】
2019144298.tif 000018
【図１７】
2019144298.tif 000019
【図１８】
2019144298.tif 000020
【図１９】
2019144298.tif 000021